(57)【要約】【課題】再生中の素材から新素材へ切り替えて連続再生することが可能な送出システムを提供することにある。【解決手段】送出制御装置内の再生時間制御回路は、デコーダに、タイムコード取得指示を送出する。前記デコーダは、第１デコード回路による第１素材のタイムコードデータを、前記再生時間制御回路へ送出する。前記再生時間制御回路は、取得した前記タイムコードデータに基づいて、第２デコード回路による前記第２素材の再生開始時間を再生予約する。前記送出制御装置は、前記デコーダへスタンバイ指示を行うことにより、前記第２デコード回路に、再生開始時間に対応する前記第２素材のデータをスタンバイさせる。前記送出制御装置は、前記デコーダへ再生制御指示を送出することにより、前記第１デコード回路による前記第１素材の再生に代えて、前記第２デコード回路による前記第２素材のデータを再生させる。【選択図】図３
2019009715.tif 000002
【特許請求の範囲】
【請求項１】
第１素材と第２素材とを格納する送出管理サーバと、
再生時間制御回路を有する送出制御装置と、
第１デコード回路と第２デコード回路とを有するデコーダと、を含み、
前記第１デコード回路による前記第１素材の再生から前記第２デコード回路による前記第２素材の再生へ切り替える場合、前記再生時間制御回路は、前記デコーダに、タイムコード取得指示を送出し、
前記デコーダは、前記第１デコード回路による前記第１素材のタイムコードデータを、前記再生時間制御回路へ送出し、
前記再生時間制御回路は、取得した前記タイムコードデータに基づいて、前記第２デコード回路による前記第２素材の再生開始時間を再生予約し、
前記送出制御装置は、前記デコーダへスタンバイ指示を行うことにより、前記第２デコード回路に、再生開始時間に対応する前記第２素材のデータをスタンバイし、
前記送出制御装置は、前記デコーダへ再生制御指示を送出することにより、前記第１デコード回路による前記第１素材の再生に代えて、前記第２デコード回路による前記第２素材のデータが再生される、
ことを特徴とする送出システム。
【請求項２】
請求項１において、
前記第１素材は、ノイズを含み、
前記第２素材は、前記ノイズが削除された前記第１素材に対応する、送出システム。
【請求項３】
請求項１において、
前記第２素材の前記再生開始時間は、取得した前記タイムコードデータに、約１秒を加えた時間とされる、送出システム。
【発明の詳細な説明】
【技術分野】
【０００１】
本開示は映像／音声データを送信する送出システムに関し、特に、映像／音声データの放送素材に基づいて送信する映像／音声データの再生およびスタンバイを指示する送出システムに適用可能である。
【背景技術】
【０００２】
例えば、テレビジョン放送業務では、映像／音声データからなる素材（放送素材）をデコーダにスタンバイさせ、放送のスケジュールに従って、放送データを送出する送出システムが用いられている。
【０００３】
特開２００９−５５２５５号公報（特許文献１）は、「素材を再生している最中に、次の素材をスタンバイし、次の素材の再生開始時刻に、スタンバイしていたデータを再生するという動作を繰り返すことで、連続再生を実現する」送出システムを開示している。
【先行技術文献】
【特許文献】
【０００４】
【特許文献１】特開２００９−５５２５５号公報
【発明の概要】
【発明が解決しようとする課題】
【０００５】
本発明者らは、再生中の素材の一部に、例えばテロップのミスなどのノイズを発見した場合の対処方法を検討した。この場合、再生中の素材を、ノイズの修正された新素材へ、ノイズの発生時刻より前に切り替えて、連続再生することが望まれる。例えば、再生中の素材が１分間の映像であり、その素材の４５秒目部分にノイズがあるとする。この場合、再生中の素材の再生開始時刻から、例えば、４５秒以前に、再生中の素材から修正済みの新素材へ切り替えて、新素材を再生するのが好ましい。
【０００６】
本開示の課題は、再生中の素材から新素材へ切り替えて連続再生することが可能な送出システムを提供することにある。
【０００７】
その他の課題と新規な特徴は、本明細書の記述および添付図面から明らかになるであろう。
【課題を解決するための手段】
【０００８】
本開示のうち代表的なものの概要を簡単に説明すれば下記の通りである。
【０００９】
すなわち、送出システムは、第１素材と第２素材とを格納する送出管理サーバと、再生時間制御回路を有する送出制御装置と、第１デコード回路と第２デコード回路とを有するデコーダと、を含む。前記第１デコード回路による前記第１素材の再生から前記第２デコード回路による前記第２素材の再生へ切り替える場合、前記再生時間制御回路は、前記デコーダに、タイムコード取得指示を送出する。前記デコーダは、前記第１デコード回路による前記第１素材のタイムコードデータを、前記再生時間制御回路へ送出する。前記再生時間制御回路は、取得した前記タイムコードデータに基づいて、前記第２デコード回路による前記第２素材の再生開始時間を再生予約する。前記送出制御装置は、前記デコーダへスタンバイ指示を行うことにより、前記第２デコード回路に、再生開始時間に対応する前記第２素材のデータをスタンバイさせる。前記送出制御装置は、前記デコーダへ再生制御指示を送出することにより、前記第１デコード回路による前記第１素材の再生に代えて、前記第２デコード回路による前記第２素材のデータを再生させる。
【発明の効果】
【００１０】
上記送出システムによれば、再生中の素材から新素材へ切り替えて連続的に再生することが可能である。
【図面の簡単な説明】
【００１１】
【図１】実施例に係る送出システムのブロック図である。
【図２】実施例に係る送出管理サーバ、デコーダ及び送出制御装置の概念的なブロック図である。
【図３】実施例に係るシーケンス図である。
【図４】実施例に係る再生データを説明するための概念図である。
【図５】本発明者らにより検討された送出システムのブロック図である。
【図６】本発明者らにより検討されたシーケンス図である。
【発明を実施するための形態】
【００１２】
最初に、本発明者により検討された問題点について、図５及び図６を用いて説明する。
【００１３】
図５は、本発明者により検討された送出システムのブロック図であり、図６は、本発明者らにより検討されたシーケンス図である。
【００１４】
送出システム５００は、送出管理サーバ５０１と、送出制御装置５０２と、デコーダ５０３、ニュース送出設備５０４とがＬＡＮ（Local Area Network）等のネットワーク５０５によって接続されて、構成される。送出制御装置５０２には、送出端末５２１が接続されている。
【００１５】
送出管理サーバ５０１は、フラッシュメモリやＤＲＡＭ（ダイナミック・ラム）等の半導体メモリの記憶媒体であるＳＳＤ（ソリッド・ステート・ディスク）やＨＤＤ（ハードディスクドライブ）等を備えたサーバであり、放送用に送出する素材となる映像や音声や文字データ等の素材（放送素材）が蓄積されたデータベースを備えている。
【００１６】
送出制御装置５０２は、プログラム制御によって動作する情報処理装置であり、マンマシンインタフェース（man machine interface）として機能する送出端末５２１が接続されている。送出制御装置５０２は、送出管理サーバ５０１に蓄積されている素材を検索する機能や、送出端末５２１からのスタンバイ指示や送出管理サーバ５０１に蓄積されている素材をデコーダ５０３にスタンバイさせる機能等、を有している。
【００１７】
デコーダ５０３は、プログラム制御によって動作する情報処理装置であり、素材を一時記憶するバッファと、ＤＳＰ（デジタル・シグナル・プロセッサ）等とを備えている。デコーダ５０３は、送出制御装置５０４からのスタンバイ指示に従い、送出管理サーバ５０１から素材を読み出してバッファに蓄積、すなわち放送する素材をスタンバイさせ、放送局用のＨＤ−ＳＤＩやＳＤ−ＳＤＩフォーマット、デジタル画像（ＭＰＥＧ２等）、アナログの電波信号等の放送データに変換するデコード処理を行う。
【００１８】
ニュース送出設備５０４は、デコーダ５０３から放送データを受信し、放送データを送出する。
【００１９】
送出端末５２１は、マウス等の入力手段や液晶ディスプレイ等の表示手段を有しており、スタンバイ状況を表示する管理画面が表示される。例えば、管理画面は、検索結果表示部、セット（ＳＥＴ）ボタン、イジェクト（ＥＪＥＣＴ）ボタン等で構成されている。
【００２０】
図６を参照し、シーケンスを説明する。図６のシーケンス図は、デコーダ５０３に素材（現Ｖｅｒ）をスタンバイさせた時から、素材（現Ｖｅｒ）を再生し、新素材（新Ｖｅｒ）を再生するまでを示している。なお、素材（現Ｖｅｒ）は、例えば、その一部にノイズを含んでおり、新素材（新Ｖｅｒ）は、素材（現Ｖｅｒ）のノイズを編集により修正した新素材を示すものとする。
【００２１】
ステップ６０１で、デコーダ５０３にスタンバイ中の素材（現Ｖｅｒ）を再生させるため、ニュース送出設備５０４及び送出管理サーバ５０１は、送出制御装置５０２及び送出端末５２１へ、再生指示命令としてのＯＡタリーＯＮ信号を送出する。送出制御装置５０２は、ＯＡタリーＯＮ信号に応答して、デコーダ５０３に再生制御指示を送出する（ステップ６０２）。これにより、スタンバイ中の素材（現Ｖｅｒ）がデコーダ５０３により再生される(再生中)。また、送出端末５２１は、ＯＡタリーＯＮ信号に応答して、ＯＡタリーがＯＮの時、スタンバイ操作をガードする状態へ移行する。
【００２２】
この時点で、素材（現Ｖｅｒ）の一部にノイズを含むことが判明し、そのノイズを編集により修正した新素材（新Ｖｅｒ）が送出管理サーバ５０１へ格納させたものとする。
【００２３】
そうすると、送出管理サーバ５０１は、新素材（新Ｖｅｒ）の送出が可能であることを、新Ｖｅｒ送出可能通知として、送出端末５２１へ送信する（ステップ６０３）。
【００２４】
また、ニュース送出設備５０４は、放送中断（ＯＡ中断）に移行し、再生停止指示命令としてのＯＡタリーＯＦＦ信号を、送出制御装置５０２及び送出端末５２１へ、送出する（ステップ６０４）。
【００２５】
送出端末５２１は、ＯＡタリーＯＦＦ信号により、スタンバイ操作のガード状態を解除し、新素材（新Ｖｅｒ）のスタンバイ操作を行うことが出来るような状態となる。
【００２６】
送出端末５２１は、再生中の素材（現Ｖｅｒ）に対して、イジェクト操作を行うために、イジェクト指示を送出制御装置５０２へ送出する（ステップ６０５）。送出制御装置５０２は、送出端末５２１からのイジェクト指示に応答して、デコーダ５０３へイジェクト指示を送出する（ステップ６０６）。これにより、デコーダ５０３は素材（現Ｖｅｒ）の再生を停止するので、デコーダ５０３からは黒映像が送出されることになる。
【００２７】
続いて、デコーダ５０３に新素材（新Ｖｅｒ）をスタンバイさせるため、送出端末５２１は送出制御装置５０２へスタンバイ指示を送出し（ステップ６０７）、送出制御装置５０２はデコーダ５０３へスタンバイ指示を送出する（ステップ６０８）。これにより、送出管理サーバ５０１内に格納された新素材（新Ｖｅｒ）は、デコーダ５０３において、新Ｖｅｒスタンバイ中として設定される。
【００２８】
これを受けて、ニュース送出設備５０４及び送出管理サーバ５０１は、送出制御装置５０２及び送出端末５２１へ、新素材（新Ｖｅｒ）の再生指示命令としてのＯＡタリーＯＮ信号を送出する（ステップ６０９）。
【００２９】
これにより、送出制御装置５０２は、ＯＡタリーＯＮ信号に応答して、デコーダ５０３に再生制御指示を送出し（ステップ６１０）、スタンバイ中の新素材（新Ｖｅｒ）がデコーダ５０３により再生される。
【００３０】
図６に示されるシーケンス図から理解されるように、ステップ６０６とステップ６０８との間において、黒映像がデコーダから出力される期間があるという課題がある。
【００３１】
また、オンエア（ＯＡ）中の素材（現Ｖｅｒ）を、新素材（新Ｖｅｒ）に差し替える際は、一度オンエア（ＯＡ）を中断（ＯＡタリーＯＦＦ信号）し、一度素材（現Ｖｅｒ）をイジェクトして、新素材（新Ｖｅｒ）のスタンバイを行う必要があるという課題がある。
【００３２】
また、送出端末５２１から即時再生指示（ポン出し）の操作を行うことで、オンエア（ＯＡ）中の素材（現Ｖｅｒ）から新素材（新Ｖｅｒ）への差し替えを、連続的に隙間なくシームレスに新素材（新Ｖｅｒ）を送出できる。しかしながら、送出端末５２１からの即時再生指示（ポン出し）による再生は、新素材（新Ｖｅｒ）の映像の頭（最初の部分）から行われるという課題がある。
【００３３】
以下、実施例について、図面を用いて説明する。ただし、以下の説明において、同一構成要素には同一符号を付し繰り返しの説明を省略することがある。なお、図面は説明をより明確にするため、実際の態様に比べ、模式的に表される場合があるが、あくまで一例であって、本発明の解釈を限定するものではない。
【実施例】
【００３４】
図１は、実施例に係る送出システムのブロック図である。
【００３５】
送出システム１００は、送出管理サーバ１と、送出制御装置２と、デコーダ３、ニュース送出設備４とがＬＡＮ（Local Area Network）等のネットワーク５によって接続されて、構成される。送出制御装置２には、送出端末２１が接続される。
【００３６】
送出管理サーバ１は、フラッシュメモリやＤＲＡＭ（ダイナミック・ラム）等の半導体メモリの記憶媒体であるＳＳＤ（ソリッド・ステート・ディスク）やＨＤＤ（ハードディスクドライブ）等を備えたサーバであり、放送用に送出する素材となる映像や音声や文字データ等の素材（放送素材）が蓄積されたデータベースを備えている。
【００３７】
送出制御装置２は、プログラム制御によって動作する情報処理装置であり、マンマシンインタフェース（man machine interface）として機能する送出端末２１が接続されている。送出制御装置２は、送出管理サーバ１に蓄積されている素材を検索する機能や、送出端末２１からのスタンバイ指示や送出管理サーバ１に蓄積されている素材をデコーダ３にスタンバイさせる機能等、を有している。
【００３８】
デコーダ３は、プログラム制御によって動作する情報処理装置であり、素材を一時記憶するバッファと、ＤＳＰ（デジタル・シグナル・プロセッサ）等とを備えている。デコーダ３は、送出制御装置４からのスタンバイ指示に従い、送出管理サーバ１から素材を読み出してバッファに蓄積、すなわち放送する素材をスタンバイさせ、放送局用のＨＤ−ＳＤＩやＳＤ−ＳＤＩフォーマット、デジタル画像（ＭＰＥＧ２等）、アナログの電波信号等の放送データに変換するデコード処理を行う。
【００３９】
ニュース送出設備４は、デコーダ３から放送データを受信し、放送用データを送出する。
【００４０】
送出端末２１は、マウス等の入力手段や液晶ディスプレイ等の表示手段を有しており、スタンバイ状況を表示する管理画面が表示される。例えば、管理画面は、検索結果表示部、セット（ＳＥＴ）ボタン、イジェクト（ＥＪＥＣＴ）ボタン等で構成されている。
【００４１】
図２は、実施例に係る送出管理サーバ、デコーダ及び送出制御装置の概念的なブロック図である。
【００４２】
送出管理サーバ１は、第１素材である素材（現Ｖｅｒ）ＶＣと、第２素材である新素材（新Ｖｅｒ）ＶＮと、を格納している状態を示している。素材（現Ｖｅｒ）ＶＣは、例えば、１分間の素材であり、その一部（４５秒部分）にノイズを含む素材であるものとする。そして、新素材（新Ｖｅｒ）ＶＮは素材（現Ｖｅｒ）ＶＣのノイズを編集により修正した１分間の新素材であるものとする。
【００４３】
まず、素材（現Ｖｅｒ）ＶＣは、矢印ＶＣＰで示されるように、再生されている。例えば、時刻１２：１２：００に、新素材（新Ｖｅｒ）ＶＮに対するスタンバイ指示ＳＴＢが送出制御装置２からデコーダ３へ送出され、時刻１２：１２：０１に、素材（現Ｖｅｒ）ＶＣの再生が、矢印ＶＮＰで示されるように、新素材（新Ｖｅｒ）ＶＮの再生へ連続的に切り替えられる。
【００４４】
このような再生切り替え動作を実施するため、デコーダ３は、２つの第１及び第２デコード回路ＤＥＣ０及びＤＥＣ１を有している。第１及び第２デコード回路ＤＥＣ０及びＤＥＣ１において、再生時に利用されるデコード回路は、表面のデコード回路とされ、再生に利用されていないデコード回路は、裏面のデコード回路とされている。裏面のデコード回路は、次にデコードされるべき素材のスタンバイ動作において利用可能である。なお、表面のデコード回路の再生データが、ニュース送出設備４へ選択的に送出され、裏面のデコード回路の再生データはニュース送出設備４へ送出されない構成とされている。
【００４５】
例えば、第１及び第２デコード回路ＤＥＣ０及びＤＥＣ１において、素材（現Ｖｅｒ）ＶＣが再生されている時ＶＣＰＬＹ、第１デコード回路ＤＥＣ０は素材（現Ｖｅｒ）ＶＣをデコードする表面のデコード回路であり、第２デコード回路ＤＥＣ１は裏面のデコード回路である。第２デコード回路ＤＥＣ１は、スタンバイ指示ＳＴＢに応答して、新素材（新Ｖｅｒ）ＶＮをデコードのスタンバイ（準備動作）を行うことが可能である。一方、新素材（新Ｖｅｒ）ＶＮが再生される時ＶＮＰＬＹ、第２デコード回路ＤＥＣ１は新素材（新Ｖｅｒ）ＶＮをデコードする表面のデコード回路へ変更され、第１デコード回路ＤＥＣ０は、素材（現Ｖｅｒ）ＶＣをデコードする裏面のデコード回路へ変更される。
【００４６】
送出制御装置２は、スタンバイ指示ＳＴＢのほか、再生時間制御回路ＴＭＣＮＴを有している。再生時間制御回路ＴＭＣＮＴは、デコーダ３に対して、タイムコード取得指示ＴＣＡを出力する。デコーダ３は、タイムコード取得指示ＴＣＡに応答して、再生中の素材、例えば、素材（現Ｖｅｒ）ＶＣのタイムコードデータＴＣＤを再生時間制御回路ＴＭＣＮＴへ送信する。再生時間制御回路ＴＭＣＮＴは、その後、取得したタイムコードデータＴＣＤによって表現される時間（例えば、時刻１２：１２：００）に基づいて、新素材（新Ｖｅｒ）ＶＮの再生開始時間と判断し、その再生予約を行う再生予約機能を含む。この例では、取得したタイムコードデータＴＣＤによって表現される時間（例えば、時刻１２：１２：００）から、例えば、約１秒経過後（時刻１２：１２：０１）を、新素材（新Ｖｅｒ）ＶＮの再生開始時間と判断し、その再生予約を行う再生予約機能を含む。送出制御装置２は、再生時間制御回路ＴＭＣＮＴの再生予約機能に基づいて、デコーダ３に再生制御を行うことになる。これにより、デコーダ３内の第２デコード回路ＤＥＣ１は、時刻１２：１２：０１から、新素材（新Ｖｅｒ）ＶＮの再生を開始する。
【００４７】
以上の構成により、素材（現Ｖｅｒ）ＶＣの再生から新素材（新Ｖｅｒ）ＶＮの再生へ連続的に切り替えることが可能となる。
【００４８】
図３は、実施例に係るシーケンス図である。図３のシーケンス図は、デコーダ３に素材（現Ｖｅｒ）をスタンバイさせた時から、素材（現Ｖｅｒ）を再生し、新素材（新Ｖｅｒ）を再生するまでを示している。なお、素材（現Ｖｅｒ）は、例えば、その一部にノイズを含んでおり、新素材（新Ｖｅｒ）はそのノイズを編集により修正した新素材を示すものとする。
【００４９】
ステップ１０１で、デコーダ３にスタンバイ中の素材（現Ｖｅｒ）を再生させるため、ニュース送出設備４及び送出管理サーバ１は、送出制御装置２及び送出端末２１へ、再生指示命令としてのＯＡタリーＯＮ信号を送出する。送出制御装置２は、ＯＡタリーＯＮ信号に応答して、デコーダ３に再生制御指示を送出する（ステップ１０２）。これにより、スタンバイ中の素材（現Ｖｅｒ）がデコーダ３のデコード回路ＤＥＣ０により再生される(再生中)。また、送出端末２１は、ＯＡタリーＯＮ信号に応答して、ＯＡタリーがＯＮの時、スタンバイ操作をガードする状態へ移行する。
【００５０】
この時点で、素材（現Ｖｅｒ）の一部にノイズを含むことが判明し、そのノイズを編集により修正した新素材（新Ｖｅｒ）が送出管理サーバ１へ格納させたものとする。
【００５１】
そうすると、送出管理サーバ１は、新素材（新Ｖｅｒ）の送出が可能であることを、新Ｖｅｒ送出可能通知として、送出端末２１へ送信する（ステップ１０３）。
【００５２】
送出端末２１は、新素材（新Ｖｅｒ）の送出要求を、送出制御装置２へ送信する（ステップ１０４）。送出制御装置２は、新素材（新Ｖｅｒ）の送出要求に応答して、再生中の素材（現Ｖｅｒ）のタイムコードを取得するためのタイムコード取得指示ＴＣＡを、デコーダ３へ送信する(ステップ１０５)。デコーダ３は、素材（現Ｖｅｒ）ＶＣのタイムコードデータＴＣＤを送出制御装置２の再生時間制御回路ＴＭＣＮＴへ送信する（１０６）。これにより、送出制御装置２の再生時間制御回路ＴＭＣＮＴは、取得したタイムコードデータＴＣＤによって表現される時間（例えば、時刻１２：１２：００）に基づいて、新素材（新Ｖｅｒ）ＶＮの再生開始時間を判断し、再生予約を行う。この例では、取得したタイムコードデータＴＣＤによって表現される時間（例えば、時刻１２：１２：００）から、例えば、約１秒経過後（時刻１２：１２：０１）を、新素材（新Ｖｅｒ）ＶＮの再生開始時間と判断し、その再生予約を行う。
【００５３】
その後、送出制御装置２の再生時間制御回路ＴＭＣＮＴは、裏面のデコード回路である第２デコード回路ＤＥＣ１に、取得したタイムコードデータＴＣＤの１秒後の映像をスタンバイさせるためのスタンバイ信号ＳＴＢを、デコーダ３へ送信する(ステップ１０７)。これにより、第２デコード回路ＤＥＣ１は、時刻１２：１２：０１に対応する新素材（新Ｖｅｒ）ＶＮのデータがスタンバイされる。この時点では、表面のデコード回路である第１デコード回路ＤＥＣ０は、素材（現Ｖｅｒ）ＶＣの再生を行っている。
【００５４】
そして、送出制御装置２は、デコーダ３に再生制御指示を送出する（ステップ１０８）。これにより、裏面のデコード回路である第２デコード回路ＤＥＣ１にスタンバイ中である新素材（新Ｖｅｒ）ＶＮのデータの再生が開始される。また、第２デコード回路ＤＥＣ１が表面のデコード回路に、第１デコード回路ＤＥＣ０が裏面のデコード回路に、シームレスに切り替えられる。これにより、第２デコード回路ＤＥＣ１の再生データがニュース送出設備４へ送出される。
【００５５】
以上のシーケンスにより、オンエア中に、素材（現Ｖｅｒ）ＶＣの再生から新素材（新Ｖｅｒ）ＶＮの再生へ連続的ないしシームレスに切り替えることが可能にされる。
【００５６】
図４は、実施例に係る再生データを説明するための概念図である。
【００５７】
送出管理サーバ１には、素材（現Ｖｅｒ）ＶＣと、新素材（新Ｖｅｒ）ＶＮと、が格納されている。素材（現Ｖｅｒ）ＶＣは、例えば、６０秒（６０ｓｅｃ）間の素材であり、その一部（４５秒目部分）にノイズを含む素材であるものとする。そして、新素材（新Ｖｅｒ）ＶＮは素材（現Ｖｅｒ）ＶＣのノイズを編集により修正した６０秒（６０ｓｅｃ）の新素材であるものとする。
【００５８】
この例では、再生データＶＤＡＴＡ１に示されるように、素材（現Ｖｅｒ）ＶＣが０秒から３０秒（３０ｓｅｃ間）再生され、その後、シームレスに、新素材（新Ｖｅｒ）ＶＮが３０秒から６０秒（３０ｓｅｃ間）再生される状態である。再生データＶＤＡＴＡ２は、比較例として記載したもので、即時再生指示（ポン出し）の操作による再生データを示している。再生データＶＤＡＴＡ２では、素材（現Ｖｅｒ）ＶＣが０秒から３０秒（３０ｓｅｃ間）再生され、新素材（新Ｖｅｒ）ＶＮが最初の０秒から６０秒（６０ｓｅｃ間）再生される状態である。
【００５９】
実施例によれば、オンエア（ＯＡ）中の素材（現Ｖｅｒ）を、新素材（新Ｖｅｒ）に差し替える際、オンエア（ＯＡ）を中断することなく、連続的に再生することが可能である。また、切り替え中に、黒映像がデコーダ３から出力される期間は存在しない。また、切り替え後の新素材の再生において、新素材の頭(最初：０秒部分)から生成されることもないため、再生時間の短縮となる。
【００６０】
以上、本発明者によってなされた発明を実施例に基づき具体的に説明したが、本発明は、上記実施形態および実施例に限定されるものではなく、種々変更可能であることはいうまでもない。
【符号の説明】
【００６１】
１：送出管理サーバ
２：送出制御装置
３：デコーダ
４：ニュース送出設備
５：ネットワーク
２１：送出端末
１００：送出システム
ＶＣ：素材（現Ｖｅｒ）
ＶＮ：新素材（新Ｖｅｒ）
ＤＥＣ０：第１デコード回路
ＤＥＣ１：第２デコード回路
ＴＭＣＮＴ：再生時間制御回路
ＴＣＡ：タイムコード取得指示
ＴＣＤ：タイムコードデータ
【図１】
2019009715.tif 000003
【図２】
2019009715.tif 000004
【図３】
2019009715.tif 000005
【図４】
2019009715.tif 000006
【図５】
2019009715.tif 000007
【図６】
2019009715.tif 000008